(57)【要約】【課題】緊急警報放送受信時に、受信した緊急警報放送が不正なものであるかどうかを判断することにより、不正な緊急警報放送を排除する（受信しない／報知しない）ことができるデジタル放送受信装置を提供する。【解決手段】デジタル放送を受信する第１受信部１１ａと、デジタル放送を受信する第２受信部１１ｂと、第１受信部１１ａにより受信しているチャンネルから緊急警報放送信号を検出すると、第２受信部１１ｂにより、第１受信部１１ａにより受信しているチャンネルとは異なるチャンネルを受信して、緊急警報放送信号の検出処理を実行するように制御する制御部１６と、を備える。【選択図】図１
2009088910.tif 000002
【特許請求の範囲】
【請求項１】
デジタル放送を受信する第１の放送受信手段と、
デジタル放送を受信する第２の放送受信手段と、
前記第１の放送受信手段により受信しているチャンネルから緊急警報放送信号を検出すると、前記第２の放送受信手段により前記チャンネルとは異なるチャンネルを受信して緊急警報放送信号の検出処理を実行するように制御する制御手段と、
を備えるデジタル放送受信装置。
【請求項２】
前記第２の放送受信手段により前記チャンネルとは異なるチャンネルを受信して緊急警報放送信号を検出した場合に、当該緊急警報放送を受信したことを利用者に報知する報知手段を備える請求項１に記載のデジタル放送受信装置。
【請求項３】
デジタル放送を受信する放送受信手段と、
前記放送受信手段により受信しているチャンネルから緊急警報放送信号を検出すると、前記放送受信手段が受信している前記チャンネルとは異なるチャンネルを受信して緊急警報放送信号の検出処理を実行するように制御する制御手段と、
を備えるデジタル放送受信装置。
【請求項４】
前記放送受信手段により前記チャンネルとは異なるチャンネルを受信して緊急警報放送信号を検出した場合に、当該緊急警報放送を受信したことを利用者に報知する報知手段を備える請求項３に記載のデジタル放送受信装置。
【請求項５】
デジタル放送を受信する放送受信手段と、
通信網を介してデータの送受信をする通信手段と、
前記放送受信手段により受信しているチャンネルから緊急警報放送信号を検出すると、前記通信手段を介して緊急警報情報を受信したか否かを判定する判定手段と、
該判定手段により前記通信手段を介して緊急警報情報を受信したと判定した場合に、当該緊急警報放送信号を受信したことを利用者に報知する報知手段と、
を備えるデジタル放送受信装置。
【発明の詳細な説明】
【技術分野】
【０００１】
この発明は、緊急警報放送システムに対応したデジタル放送受信装置に関する。
【背景技術】
【０００２】
従来、緊急警報放送システム（Ｅｍｅｒｇｅｎｃｙ  Ｗａｒｎｉｎｇ  Ｓｙｓｔｅｍ：ＥＷＳ）が知られている。このＥＷＳは、起動制御信号等を受信した受信装置を強制的に起動させて、災害に関する放送を視聴できるようにするものであり、ＥＷＳには、災害種別（第１種開始信号／第２種開始信号）とその地域の情報が含まれている。
ＥＷＳを受信したときの受信装置の動作は、社団法人  電波産業会（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：ＡＲＩＢ）のデジタル放送に使用する番組配列情報（ＳＴＤ−Ｂ１０）、地上デジタルテレビジョン放送運用規定（ＴＲ−Ｂ１４）により、以下のように規定されている。
【０００３】
１．伝送多重制御（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  ａｎｄ  Ｃｏｎｔｒｏｌ：ＴＭＣＣ）信号中の緊急警報放送用起動フラグを監視する。このフラグの値が１になったとき現在受信中のトランスポートストリーム（Ｔｒａｎｓｐｏｒｔ  Ｓｔｒｅａｍ：ＴＳ）のプログラムマップテーブル（Ｐｒｏｇｒａｍ  Ｍａｐ  Ｔａｂｌｅ：ＰＭＴ）中の緊急情報記述子を確認する。
２．緊急情報記述子中のｓｔａｒｔ＿ｅｎｄ＿ｆｌａｇの値が１で、ａｒｅａ＿ｃｏｄｅが受信装置に設定されている地域符号に該当していれば、緊急情報記述子に記載されているサービスＩＤ（チャンネル）を選局し受信する。携帯受信装置の場合は、ａｒｅａ＿ｃｏｄｅによらず起動動作を行う。
【０００４】
３．選局後もＴＭＣＣ中の緊急警報放送用起動フラグを監視し、０になるまでＰＭＴ中の緊急情報記述子を確認する。０になった時点で緊急警報放送を終了する。但し、再開される可能性があるので、少なくとも９０秒は緊急警報放送の受信を継続する必要がある。
このようなＥＷＳに関するものとして、例えば、「放送受信装置」（特許文献１参照）が知られている。この「放送受信装置」は、１２セグメントの放送波を受信中に緊急警報放送を受信したとき、１セグメントの放送波に切り替えることで緊急警報放送を確実に受信しようとするものである。
【特許文献１】特開２００７−９６４０３号公報
【発明の開示】
【発明が解決しようとする課題】
【０００５】
しかしながら、従来の「放送受信装置」においては、緊急警報放送を受信すると緊急情報記述子に設定されたサービス（チャンネル）に強制的に選局してしまうため、受信している放送が改竄等された不正な放送であった場合、選局先のサービスが有害な内容であるということも考えられる。また、虚偽の内容であった場合、ユーザが騙されてしまうことになる。
この発明の目的は、緊急警報放送受信時に、受信した緊急警報放送が不正なものであるかどうかを判断することにより、不正な緊急警報放送を排除する（受信しない／報知しない）ことができるデジタル放送受信装置を提供することである。
【課題を解決するための手段】
【０００６】
上記目的を達成するため、この発明に係るデジタル放送受信装置は、デジタル放送を受信する第１の放送受信手段と、デジタル放送を受信する第２の放送受信手段と、前記第１の放送受信手段により受信しているチャンネルから緊急警報放送信号を検出すると、前記第２の放送受信手段により前記チャンネルとは異なるチャンネルを受信して緊急警報放送信号の検出処理を実行するように制御する制御手段と、を備えることを特徴としている。
また、この発明において、前記第２の放送受信手段により前記チャンネルとは異なるチャンネルを受信して緊急警報放送信号を検出した場合に、当該緊急警報放送を受信したことを利用者に報知する報知手段を備えることが好ましい。
【０００７】
また、この発明に係るデジタル放送受信装置は、デジタル放送を受信する放送受信手段と、前記放送受信手段により受信しているチャンネルから緊急警報放送信号を検出すると、前記放送受信手段が受信している前記チャンネルとは異なるチャンネルを受信して緊急警報放送信号の検出処理を実行するように制御する制御手段と、を備えることを特徴としている。
また、この発明において、前記放送受信手段により前記チャンネルとは異なるチャンネルを受信して緊急警報放送信号を検出した場合に、当該緊急警報放送を受信したことを利用者に報知する報知手段を備えることが好ましい。
【０００８】
また、この発明に係るデジタル放送受信装置は、デジタル放送を受信する放送受信手段と、通信網を介してデータの送受信をする通信手段と、前記放送受信手段により受信しているチャンネルから緊急警報放送信号を検出すると、前記通信手段を介して緊急警報情報を受信したか否かを判定する判定手段と、該判定手段により前記通信手段を介して緊急警報情報を受信したと判定した場合に、当該緊急警報放送信号を受信したことを利用者に報知する報知手段と、を備えることを特徴としている。
【発明の効果】
【０００９】
この発明によれば、緊急警報放送受信時に、受信した緊急警報放送が不正なものであるかどうかを判断することにより、不正な緊急警報放送を排除（受信しない／報知しない）することができる。
【発明を実施するための最良の形態】
【００１０】
以下、この発明を実施するための最良の形態について図面を参照して説明する。
図１は、この発明の一実施の形態に係るデジタル放送受信装置の構成を示すブロック図である。図１に示すように、デジタル放送受信装置１０は、第１受信部（第１の放送受信手段）１１ａと第２受信部（第２の放送受信手段）１１ｂの２つの受信部、第１緊急警報放送検出部１２ａ、第２緊急警報放送検出部１２ｂ、音声デコーダ部１３、映像デコーダ部１４、データ放送デコーダ部１５、及び制御部（制御手段）１６を有しており、これら各部はバス１７を介して接続されている。
【００１１】
また、音声デコーダ部１３にはスピーカ１８が、映像デコーダ部１４及びデータ放送デコーダ部１５には画面制御部１９が、画面制御部１９には映像表示部２０が、それぞれ接続されている。
第１受信部１１ａは、アンテナ２１ａが接続されたチューナ部２２ａ及び復調部２３ａを、第２受信部１１ｂは、アンテナ２１ｂが接続されたチューナ部２２ｂ及び復調部２３ｂを、それぞれ有している。
【００１２】
デジタル放送の信号は、アンテナ２１ａ及びアンテナ２１ｂで受信し、入力されたＲＦ（Ｒａｄｉｏ  Ｆｒｅｑｕｅｎｃｙ）信号は、制御部１６からの周波数（チャンネル）指定命令に基づいてチューナ部２２ａ及びチューナ部２２ｂでチューニングされる。チューナ部２２ａ及びチューナ部２２ｂで周波数変換されたチャンネル信号は、復調部２３ａ及び復調部２３ｂでＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）のトランスポートストリーム（ＴＳ）信号に復調される。ＴＳ信号内のパケットＩＤに基づいて音声パケット、映像パケット、及びデータ放送パケットを検出し、それぞれのパケットを、音声デコーダ部１３、映像デコーダ部１４、及びデータ放送デコーダ部１５に出力する。
【００１３】
音声デコーダ部１３は、音声データをデコードし、スピーカ１８に出力する。映像デコーダ部１４は、映像データをデコードし画面制御部１９に出力する。データ放送デコーダ部１５は、受信したデータ放送用記述言語（Ｂｒｏａｄｃａｓｔ  Ｍａｒｋｕｐ  Ｌａｎｇｕａｇｅ：ＢＭＬ）を元に画面イメージを作成し、画面制御部１９に出力する。画面制御部１９は、映像デコーダ部１４及びデータ放送デコーダ部１５から出力されたデータを、制御部１６からの制御命令に基づいて映像表示部２０に出力する。
ＴＳ信号中の緊急警報放送の検出は、第１緊急警報放送検出部１２ａ及び第２緊急警報放送検出部１２ｂで行う。
【００１４】
例えば、第１受信部（アンテナ２１ａ、チューナ部２２ａ、復調部２３ａ）１１ａ及び第１緊急警報放送検出部１２ａは、通常の視聴処理を行い、第２受信部（アンテナ２１ｂ、チューナ部２２ｂ、復調部２３ｂ）１１ｂ及び第２緊急警報放送検出部１２ｂは、通常の視聴において緊急警報放送信号を受信した場合に、第１受信部１１ａが受信しているチャンネルとは異なる他チャンネルを選局し、その中の緊急警報放送信号を検出するために使用する。なお、第１受信部１１ａと第２受信部１１ｂは、各構成要素がそれぞれ個別に設けられている（図１参照）が、共通化可能な構成部分については共通化してもよい。
【００１５】
つまり、デジタル放送受信装置１０の制御部１６は、デジタル放送を受信する第１受信部１１ａにより受信しているチャンネルから緊急警報放送信号を検出すると、デジタル放送を受信する第２受信部１１ｂにより、第１受信部１１ａにより受信しているチャンネルとは異なるチャンネルを受信して、緊急警報放送信号の検出処理を実行するように制御する。また、緊急警報放送を受信するチャンネルに選局する際の選局情報は、緊急警報放送信号に含まれており、当該チャンネルに自動的に選局される。
【００１６】
図２は、図１のデジタル放送受信装置による緊急警報放送受信時の受信手順を示すフローチャートである。図２に示すように、デジタル放送受信装置１０は、先ず、第１受信部１１ａで緊急警報放送信号を検出したか否かを判定する（ステップＳ１０１）。判定の結果、第１受信部１１ａで現在視聴中のチャンネルにおいて緊急警報放送信号を検出した（Ｙｅｓ）場合、第２受信部１１ｂで視聴中のチャンネルとは異なる他のチャンネルの選局を行う（ステップＳ１０２）。一方、緊急警報放送信号を検出しない（Ｎｏ）場合、処理を終了する。
【００１７】
その後、第２受信部１１ｂで選局した他のチャンネルにおいて緊急警報放送信号を検出したか否かを判定する（ステップＳ１０３）。判定の結果、第２受信部１１ｂで緊急警報放送信号を検出した（Ｙｅｓ）場合、第１受信部１１ａが緊急情報記述子に記載されているサービスＩＤに自動的に選局し、緊急警報放送を受信して表示し、利用者、即ち、視聴者等のデジタル放送受信装置１０を利用している者に、緊急警報放送を受信したことを報知する。その後、処理を終了する。一方、第２受信部１１ｂで選局した他のチャンネルにおいて緊急警報放送信号を検出しない（Ｎｏ）場合、視聴者に通知することなく処理を終了する。
なお、現在、視聴が行われていない、即ち、スタンバイ状態の場合も同様に、第１受信部１１ａで緊急警報放送信号を検出すると、第２受信部１１ｂで第１受信部１１ａのチャンネルとは異なる他のチャンネルに選局して緊急警報放送信号の検出を行う。
【００１８】
他のチャンネルの決定方法については特に制限は設けないが、デジタル放送受信装置１０の内部に、受信可能なチャンネルを保存したチャンネルリストがあれば、現在視聴中のチャンネルの前又は次に位置するチャンネルでも良いし、特定のチャンネルでも良い。
ここまでは、受信部を２つ（第１受信部１１ａ及び第２受信部１１ｂ）備えた場合について説明したが、受信部が１つでも同様の動作が可能である。
図３は、この発明の他の実施の形態に係るデジタル放送受信装置の構成を示すブロック図である。図４は、図３のデジタル放送受信装置における画面イメージの説明図である。
【００１９】
図３に示すように、デジタル放送受信装置３０は、受信部が１つ、即ち、デジタル放送受信装置１０において第１受信部１１ａ及び第１緊急警報放送検出部１２ａに相当する、
アンテナ２１、チューナ部２２、復調部２３を有する受信部（放送受信手段）１１、及び緊急警報放送検出部１２のみを備えており、第２受信部１１ｂ及び第２緊急警報放送検出部１２ｂは備えられていない。その他の構成及び作用は、デジタル放送受信装置１０と同様である。
このデジタル放送受信装置３０が備えるのは、一つの受信部１１のみであることから、受信部１１で現在視聴中のチャンネルから他のチャンネルに選局した時点で、視聴中から緊急警報放送確認中になる。このとき、図４に示すように、現在視聴中の画面Ａに「緊急警報放送を確認しています…」といった文言Ｂ等を表示してもよい。
【００２０】
図５は、この発明の更に他の実施の形態に係るデジタル放送受信装置の構成を示すブロック図である。図５に示すように、デジタル放送受信装置３５は、デジタル放送受信装置３０において、緊急警報情報受信部３６を追加して備えている。その他の構成及び作用は、デジタル放送受信装置３０と同様である。
従って、デジタル放送受信装置３５は、受信部（放送受信手段）１１により放送波を受信すると共に、アンテナ３６ａが接続された緊急警報情報受信部３６により、通信網を介してデータの送受信をすることができる。つまり、デジタル放送受信装置３５は、放送波を受信するのに加え、インターネット、メール、ショートメッセージサービス（Ｓｈｏｒｔ  Ｍｅｓｓａｇｅ  Ｓｅｒｖｉｃｅ：ＳＭＳ）等の放送波以外の手段で緊急警報情報を受信することができる。
【００２１】
放送波以外の、例えば、インターネット、メール、ＳＭＳ等からデータを受信した緊急警報情報受信部３６は、受信したデータを解析することにより緊急警報情報の有無を確認する。つまり、緊急警報情報受信部３６は、通信網を介してデータの送受信をする通信手段、及び、放送受信手段により受信しているチャンネルから緊急警報放送信号を検出すると、通信手段を介して緊急警報情報を受信したか否かを判定する判定手段として機能する。
【００２２】
図６は、図５のデジタル放送受信装置による緊急警報放送受信時の受信手順を示すフローチャートである。図６に示すように、デジタル放送受信装置３５は、先ず、緊急警報放送信号を検出したか否かを判定する（ステップＳ２０１）。判定の結果、第１受信部１１ａで現在視聴中のチャンネルにおいて、緊急警報放送信号を検出した（Ｙｅｓ）場合、緊急警報情報受信部３６で緊急警報情報を検出したか否かを判定する（ステップＳ２０２）。このとき、緊急警報情報が直ぐに受信できない場合も考慮して、一定時間監視する。一方、緊急警報放送信号を検出しない（Ｎｏ）場合、処理を終了する。
ステップＳ２０２における判定の結果、緊急警報情報を検出した（Ｙｅｓ）場合、第１受信部１１ａで緊急情報記述子に記載されているサービスＩＤに自動的に選局し、緊急警報放送を受信したことを文言Ｂ等で画面（図４参照）に表示する（ステップＳ２０３）。尚、ステップＳ２０２で判定している間は、例えば、図４の画面のように、その旨を文言Ｂ等で表示しても良い。
【００２３】
一方、判定の結果、一定時間監視しても緊急警報情報を受信しなかった（Ｎｏ）場合、画面には何も表示することなく、処理を終了する。なお、上述した処理手順では、緊急警報放送信号の受信が先になっているが、緊急警報情報の受信が先でもよい。その場合、ステップＳ２０１とステップＳ２０２の処理が逆になる。
つまり、第１受信部１１ａとは異なる手段（緊急警報情報受信部３６）により、放送波のみではなく、インターネット、メール、ＳＭＳ等を介して緊急警報情報を確認することにより、その内容の正しさの精度を上げることが出来る。
【００２４】
上述したように、緊急警報放送受信時に他のチャンネルでも緊急警報放送が行われていることの確認ができるので、不正な緊急警報放送かどうかを判断することができ、利用者を有害な内容や虚偽の内容から守ることができる。また、受信部が２つあれば、視聴に使用していない受信部を使用することで、視聴中の映像や音声を止めることなく他チャンネルにおいて緊急警報放送が行われていることの確認ができる。
【００２５】
このように、この発明に係るデジタル放送受信装置は、通常の視聴に使用するチューナ部及び復調部（受信部Ａ）と、他チャンネルの緊急警報放送を検出するのに使用するチューナ部及び復調部（受信部Ｂ）と、緊急警報放送を検出する緊急警報放送検出部とを備え、受信部Ａで受信している放送波中に緊急警報放送を検出したときに、受信部Ｂで他チャンネルの緊急警報放送を検出する。そして、受信部Ａで緊急警報放送を受信したときに、受信部Ｂでも緊急警報放送を受信した場合、利用者に緊急警報放送を受信したことを報知する。
【００２６】
また、この発明に係るデジタル放送受信装置は、通常の視聴に使用するチューナ部及び復調部（受信部）と、緊急警報放送を検出する緊急警報放送検出部を備え、受信部で受信している放送波中に緊急警報放送を検出したときに、受信部で他チャンネルに選局し緊急警報放送を検出する。そして、視聴中に緊急警報放送を受信したときに、他のチャンネルに選局しても緊急警報放送を受信した場合に、利用者に緊急警報放送を受信したことを報知する。
【００２７】
また、この発明に係るデジタル放送受信装置は、通常の視聴に使用するチューナ部及び復調部（受信部）と、インターネット、メール、ＳＭＳ等から緊急警報情報を取得できる機能とを有しており、緊急警報放送と緊急警報情報の両方を受信した場合に、利用者に緊急警報放送を受信したことを報知する。
なお、本発明は、上述した実施の形態により説明したが、この実施の形態に限定されるものではない。従って、本発明の趣旨を逸脱することなく変更態様として実施するものも含むものである。
【図面の簡単な説明】
【００２８】
【図１】この発明の一実施の形態に係るデジタル放送受信装置の構成を示すブロック図である。
【図２】図１のデジタル放送受信装置による緊急警報放送受信時の受信手順を示すフローチャートである。
【図３】この発明の他の実施の形態に係るデジタル放送受信装置の構成を示すブロック図である。
【図４】図３のデジタル放送受信装置における画面イメージの説明図である。
【図５】この発明の更に他の実施の形態に係るデジタル放送受信装置の構成を示すブロック図である。
【図６】図５のデジタル放送受信装置による緊急警報放送受信時の受信手順を示すフローチャートである。
【符号の説明】
【００２９】
１０，３０，３５  デジタル放送受信装置
１１ａ  第１受信部
１１ｂ  第２受信部
１２ａ  第１緊急警報放送検出部
１２ｂ  第２緊急警報放送検出部
１３  音声デコーダ部
１４  映像デコーダ部
１５  データ放送デコーダ部
１６  制御部
１７  バス
１８  スピーカ
１９  画面制御部
２０  映像表示部
２１ａ，２１ｂ  アンテナ
２２ａ，２２ｂ  チューナ部
２３ａ，２３ｂ  復調部
３６  緊急警報情報受信部
【図１】
2009088910.tif 000003
【図２】
2009088910.tif 000004
【図３】
2009088910.tif 000005
【図４】
2009088910.tif 000006
【図５】
2009088910.tif 000007
【図６】
2009088910.tif 000008